(57)【要約】      （修正有）【課題】公園、街路、道路の法面、里山、山林原野、河川や堤防、遊休農地等に自生繁茂する雑草及び樹木や潅木の幹及び枝打ち枝葉、竹、篠、笹、蔦等の植物をエネルギーとして利用できる技術を提供する。【解決手段】雑草や樹木、潅木の幹や枝打ち枝葉、及び竹、篠、笹、蔦等全ての植物をバイオマスとし、このバイオマスを乾燥した後、バイオマスのかさばりの原因である一部を粉砕し、かさばりを解消して、粉粒混合状態のバイオマス燃料とする。または、前記のバイオマスをかさばりの原因となる部分が炭化するまで乾燥、加熱した後、炭化した部分を粉砕して、かさばりを解消して、粉粒混合状態のバイオマス燃料とする。【選択図】なし【特許請求の範囲】
【請求項１】
雑草や樹木、潅木の幹や枝打ち枝葉、及び竹、篠、笹、蔦等全ての植物をバイオマスとしこのバイオマスを乾燥した後バイオマスのかさばりの原因である一部を粉砕しかさばりを解消して得る粉粒混合状態のバイオマス燃料。
【請求項２】
請求項  １  のバイオマスをかさばりの原因となる部分が炭化するまで乾燥、加熱して炭化した後炭化した部分を粉砕してかさばりを解消して得る粉粒混合状態のバイオマス燃料。
【請求項３】
請求項  １  のバイオマスを炭化して得るバイオマス炭。
【請求項４】
請求項  ３  のバイオマス炭を粉砕して得る粉炭及び紛粒混合炭。
【発明の詳細な説明】
【技術の分野】
【０００１】  バイオマス燃料とその加工技術に関する。
【背景技術】
【０００２】  雑草や樹木の枝葉、等をバイオマスとして一部が炭化するまで加熱、乾燥することによって生産されるバイオマス燃料とその加工技術
【先行技術文献】
【特許文献】
【０００３】
【特許文献１】  特願２０１１−２３０１７７
【発明の概要】
【発明が解決しようとする課題】
【０００４】  今の日本社会は全ての物資が買手市場であって物が有り余っていると言うのが現状である、そう言う中でどうしようもないのが石油、石炭等の化石燃料と電気である、化石燃料は外国から買えるが電気は買えない、買えない電気を作るために化石燃料を買っているのが現実である。【０００５】  電気を作るために膨大な量の化石燃料が輸入される、これによって膨大な燃料代が外国に支払われる、この負担を軽くするために原子力発電が導入され働いていたがその推進事業も２０１１年３月の震災で潰れてしまった。これを機に日本は原子力エネルギーに代わる新しいエネルギー源を探し始めたのです、そして雑草を主とするバイオマスに着目したのである、然し今の日本には雑草を燃料として活用する知識や技術は全く無いと言ってよい、従ってこれら一連の技術を確立することが大きな課題である。【０００６】  この技術に関する最大の課題は雑草と言うバイオマスを経済的に利用できる条件の燃料に加工する技術を確立することである。
【課題を解決するための手段】
【０００７】  この燃料の原料として収集されるバイオマスは主たるものが雑草と言うことであるが実際には雑草を始とする自然界に植生する全ての植物又はバイオマスとしての利用を目的として栽培された作物を主とする農作物等であって道路の法面、公園、街路、里山、山林原野、河川、堤防、耕作放棄農地等に繁茂する雑草、樹木の枝打ち枝葉、潅木類、竹、篠、笹、蔦等と休耕農地等で栽培される作物等植物と認められるものは全てが対象となる。【０００８】  これ等のバイオマスは採集しながら裁断するか普通に採集して搬入してから裁断するかの何れかの手段で一定の寸法に裁断した後にバイオマスの一部が炭化するまで加熱乾燥するものである。【０００９】  この加工技術は乾燥と言うよりも初歩的な炭化と解釈するのが適当であって比較的炭化が早い草や樹木の細枝、葉等かさばりの原因となる物だけを炭化させて粉砕し易くするものであるが珪酸を多く含む草の茎などはほとんど炭化しない。【００１０】  従って収集するバイオマスは無差別に収集裁断するので比較的太い幹や枝、茎等は大小様々なペレット状であって草や細枝、葉が炭化するまで加熱しても比較的大きなペレットは炭化せずに表面が焦げただけの所謂生焼けの状態であって炭化した草や細枝、葉と生焼けのペレット、変色した程度の草の茎などが混じった粗燃料ができる。【００１１】  この様な加工によってできた粗燃料はかなりのかさばりがあって取り扱いの上で不都合が多い、従ってこのかさばりを解消するために炭化した葉や細枝を粉砕するのであるが常識で考えると炭化した部分と生焼けペレットの部分を分別しないと粉砕できないが本発明はこれ等の作業を簡略化して生産コストを削減するために分別をせずスクリュウ搬送機で抵抗をかけながら搬送することで炭化した部分のみを粉砕するものである、この粉砕の技術は旧式の精米機の機能の応用である。【００１２】  このような手段で加工されたバイオマスは粗細混合の粉炭と比較的炭化が進んだ小、中粒のペレットと表面が焦げた中、大粒のペレットとほとんど炭化していない草の茎等が混合した状態で焚き火の燃え残りのごみの様な燃料となる。
【発明の効果】
【００１３】  ２０１０年に日本国内の道路、公園、堤防などから発生した植物ごみは約２００万トンと言われる、これ等のごみの大半は焼却処分されているがそのごみ全てを燃料として火力発電をすると約４５億キロワット時の電力が得られその電力量は標準家庭１３２万世帯が一年間に消費する量に相当すると言われる、（国土交通省試算−２０１１年９月１８日茨城新聞掲載）因みに原発１基（標準＝１００万キロワット時）分の発電量は８６億キロワット時／年と言われている、実にその半分のエネルギーが経費をかけてごみとして処分されているのが現実である。【００１４】  植物ごみもこの様に評価すれば立派な資源＝バイオマスである、この試算の下に国内に存在するバイオマスの量を想定すると２０１０年度試算の数十万倍を下ることはないことは確実なものである、仮にこの存在量の１０％が利用できたとすると試算の数万倍のバイオマスが燃料になりそれによって生産される電力量は最低でも原子力発電５０００基分以上に達するはずである。【００１５】  又このバイオマス燃料はＣＯ２削減対策の中のカーボンニュートラルな燃料であってこの対策に貢献するものは非常に大きなものがある、又貧資源国日本が大量に輪入している化石燃料に代わるエネルギー資源になることは間違いない。【００１６】  従ってこのバイオマスは未開発の資源であるので実用技術の確立によって新産業が興り労働力の雇用や関連産業を通して社会に貢献するものは非常に大きい。
【発明を実施するための形態】
【００１７】  このバイオマス燃料の原料となるバイオマスは道路、街路、公園、里山、河川、堤防、山林原野、耕作放棄農地等に自生繁茂する植物及び休耕農地等に栽培されるバイオマス作物等収集可能な全ての植物の幹、茎、枝葉、等であってその他に植物に由来する食品工業等の工業残渣等植物の性状が残っている物であれば全て原料として利用することが可能である。
【００１８】  これ等のバイオマスは雑草、樹木の枝葉、間伐材、剪定枝葉、潅木類、竹、篠、笹、蔦等未利用の植物であって場所や種類に関係なく一律無差別に採集しながら一定の寸法に裁断するか普通に刈り取られて集められた物を一定の寸法に裁断するが裁断する寸法については特に拘る必要はなく加工する設備やバイオマスの条件にあったものにすればよいものであるがこの裁断は乾燥、炭化の工程の前処理の工程と考えられる。
【００１９】  例えば雑草や樹木の枝打ち枝葉、篠、笹等の様な比較的細かいバイオマス扱う中小規模の設備の場合は長さ２〜３センチ程度が扱い易く樹木の間伐材や雑木、潅木を主として扱う大規模な設備の場合には長さ５センチでも１０センチでも状況にあわせて裁断すればよいものであって裁断された草の茎や樹木の幹、太枝などは既にペレットになっていると考えればよい。
【００２０】  本発明はこの様に前処理されたバイオマスのかさばりの原因となる草や細枝、葉のみを炭化し炭化した部分のみを粉化しかさばりの解消を計ると同時に乾燥を行うだけの極めて単純明解な加工技術である。
【００２１】  その工業的な加工手段は前処理されたバイオマスを工業的な炭化装置によって雑草や樹木の細枝、葉等が炭化する程度まで加熱乾燥するだけのものである。
【００２２】  この様に加熱処理されたバイオマスは雑草や樹木の細枝、葉、潅木類の細枝、葉、竹、篠、笹、等の細枝、葉等かさばりの原因となるものは炭化するが中程度以上のペレットは生焼けであったり表面が焦げただけであったり珪酸分の多い草の茎などは変色した程度のものの混合状態の粗燃料になる。
【００２３】  この状態の粗燃料は炭化装置より排出された後攪拌機で攪拌するかスクリュウ搬送機で抵抗をかけながら搬送すると炭化した草や細枝、葉、は簡単に粉化しかさばりが解消して粉炭、生焼けや焦げたペレット、乾燥茎等の混合状態の焚き火の燃え残りごみのような粉粒混合炭燃料ができあがる。
【００２４】  この様にしてできた粉粒混合炭燃料が目的とするバイオマス燃料でこの状態のバイオマス燃料の中の焦げた状態のペレットにはかなりの水分が残っているがこの水分の量は燃料全体の中の一部分の僅かなものなので時間の経過と共に全体に分散吸収されてしまうので品質や燃焼に影響を及ぼすものではない。
【００２５】  このバイオマス燃料の特徴は原料のバイオマスの２０〜３０％が炭化し残りは半炭化又は表面が焦げたものや変色した程度のものの混合状態であってバイオマスの条件つまり草と樹木の枝葉、潅木類等の割合によって炭化物の割合の比は異なる。
【００２６】  従ってこのバイオマス燃料は一見して半焼けのごみのような状態であるが燃料としての性状は木質チップや薪に比べて着火温度が低く燃焼速度も速いが燃焼温度は薪に近い良質な燃料である、然し全体的な傾向は炭化の程度が低いほど良く燃えるがかさばりが大きく保管性を始とする取り扱い上の不都合が大きい、又炭化が進みすぎると炭化物が多くなる、つまり粉炭やペレット炭が多くなってかさばりは解消して保管性を始とした取り扱いは良くなるが燃えがわるくなる、この傾向も燃焼炉内の温度が高くなればあまり拘ることではない。
【００２７】  この燃料も使用目的によって炭化の程度を変えることや炭化部の粉砕を省略すること等も自由である、例えばバイオマスの大部分を炭化させ粉砕して木質チップや石炭等の助燃材として混合燃焼等に使うと燃焼効率がよくなる、又使用目的によって粉砕の必要がない場合等には粉砕をしない方がよく燃える。
【００２８】  この様に本発明は日本中に溢れ返って手の施しようのない厄介物のバイオマスを極限まで下げた生産コストで加工できる技術で加工したバイオマス燃料であってバイオマスを炭化すると言うよりも過度に乾燥すると考えても差し支えはない、その上で炭化した部分のみを粉砕したことを特徴とするバイオマス燃料である。
【００２９】  ここではロータリーキルン式炭化炉による炭化を実施例として説明しているが炭化装置の選択については特に拘る必要はなくどの様な手段を用いても結果が説明のバイオマス燃料になればよい。
【００３０】  又これ等のバイオマスを完全に炭化した物を原料炭として粉砕し粉炭にすることで燃料以外の利用も可能である、例えば農業での土壌改良剤や工業では練炭等成形炭の原料として利用することもできる。
【００３１】  又バイオマスの前処理についても特定の手段や形状に拘る必要はない、例えば裁断の寸法を微細にしたり、擂り潰したり、バイオマスの条件によっては裁断せずに炭化してから粉砕してもよい。
【００３２】  又牧草や芝草ばかりの様な木質等が混じっていないか混じっていても小さいか少ない場合等には炭化するまで加熱せず粉砕できる程度に乾燥するだけでもよい、この手段は高温の熱風の利用が効果的であるので燃料の生産設備の条件や使用目的、使用条件によっては全てのバイオマスにも共通する、例えばこのバイオマス燃料生産技術以外の産業で排出される高温の熱を利用するもので廃棄物処分場等の焼却炉にこの乾燥炉を併設することによって熱風による乾燥は容易なものになる、又排煙などを利用する炭化炉等を併設することも有効な手段である。
【産業上の利用可能性】
【００３３】  欧米では栽培されたバイオマスによって火力発電が行われている、最新の情報によれば日本でもこれに習って環境整備等で発生する植物ごみをバイオマスとして火力発電を行う研究が始まると言うことである、従ってこの分野の利用の可能性が最も大きなものである。【００３４】  本発明のバイオマス燃料は実用バイオマス燃料として完成しているものなので効果的な燃焼技術が確立されれば農業用、工業用などの分野で化石燃料に代わる燃料として利用される可能性も大きなものである。【００３５】  バイオマスを完全炭化させて得るバイオマス炭とこのバイオマス炭を粉砕して得る粉炭は多目的利用を前提に考案したものであって燃料以外に農業用の土壌改良剤や融雪剤、工業では練炭などの成形炭や消臭剤の原料としての利用の可能性が大きい。
【手続補正書】
【提出日】平成25年1月28日(2013.1.28)
【手続補正１】
【補正対象書類名】明細書
【補正対象項目名】全文
【補正方法】変更
【補正の内容】
【発明の詳細な説明】
【技術の分野】
【０００１】  バイオマス燃料とその加工技術に関する
【背景技術】
【０００２】  先の出願（特願２０１１−２３０１７７）のバイオマス燃料及びその加工技術
【先行技術文献】
【特許文献】
【０００３】
【特許文献１】  特願２０１１−２３０１７７
【発明の概要】
【発明が解決しようとする課題】
【０００４】  今の日本社会は全てが買い手市場であって物が有り余っていると言うのが実情である。その様な中でどうしようもないのが化石燃料等のエネルギー資源と電気である。化石燃料は外国から買えるが電気は買えない、買えない電気を造るために化石燃料を買っているのである。【０００５】  日本にはエネルギー資源が無いと言われているが、確かに化石燃料は無い、然し化石燃料に代わる資源は有る、資源があっても使わないだけなのである。【０００６】  その資源とは、山林原野を中心に溢れ返っている樹木や雑草等の植物である、今の日本には想像不可能な量の植物がバイオマスエネルギー資源として眠っているのである。今、日本経済はこの資源を、資源として緊急に活用しなければならなくなっているのである。【０００７】  然し、今の日本にはこの資源を経済的に活用できる技術はない。従って、緊急にこの資源を有効に活用できる技術を開発し確立しなければならない。
【課題を解決するための手段】
【０００８】  この資源は、バイオマスと呼ばれるもので、山林原野、里山、公園，街路、道路の路肩法面、河川堤防、耕作放棄農地、等に繁茂している雑草、樹木、潅木、竹、篠、笹、蔦、等全ての植物や栽培作物等、植物であれば全てがバイオマスなのである。【０００９】  今の日本はこのバイオマスを有効に活用しなくてはならないと考えているが、未だに有効に活用できる技術が開発されない。その様な中で開発されたのが本発明の技術である。【００１０】  本発明の技術は、これ等のバイオマスを一部が炭化するまで単純に乾燥し、直接燃焼できる安価なバイオマス燃料を生産するものであるが、乾燥と言うよりも焙煎と言う表現をした方が適当である。従って、炭化は過度の焙煎により早く乾燥する一部ものだけを焦がすと言うだけのものである。【００１１】  これ等のバイオマスは、無差別に採集しながら又は採集集積後に任意の寸法に裁断処理される、この裁断はバイオマスをバイオマス燃料に加工するための最初の一工程になるもので、出来上がったバイオマス燃料の使用目的や使用形態、バイオマスの大きさ、加工機械の規模などの条件によって長さの寸法を選択しなければならない。【００１２】  裁断されたバイオマスは次の工程で一部が焦げて炭化するまで焙煎され、粗バイオマス燃料になるが、バイオマスは無差別に採集、裁断されているために嵩張りが大きい。この嵩張りの原因は、樹木の枝葉や灌木、雑草等の葉や細枝葉であるが、この細枝葉や草の葉等はそのまま炭化した状態で嵩張ったままの粗バイオマス燃料ができあがる。【００１３】  次の工程で、この粗バイオマス燃料の炭化している部分のみを粉砕することでバイオマス燃料が完成する。【００１４】  このバイオマス燃料は、樹木の枝葉や灌木等無差別に裁断しているので比較的太い枝や幹は大小様々なペレット状になっていてそのまま乾燥している。従って全体的な形状は大小様々なペレットと比較的粗い生焼け炭、粉炭の混合状態の焚火の燃え残りのゴミのような状態のものであるが、一部が炭化していると言うことで着火温度が低いわりに燃焼効率がよく、保管性等に極めて優れているバイオマス燃料です。
【発明の効果】
【００１５】  ２０１０年の環境整備に伴う植物ゴミの排出量は約２００万トン／年と言われ、これを全てバイオマスとし発電すると、４５億ｋｗの電気が得られ、１３２万世帯に供給できると言うことです（２０１１年、国土交通省試算）。これは、原発一基分の半分強になりますが、経費をかけて廃棄処分されているのが現状です。【００１６】  現在、日本国内に存在する利用可能なバイオマスの量は発表された２００万トンの数十万倍を下ることはないのが確実です。仮に、この１０パーセントが利用できたとすると原発５，０００基分以上になるはずです。【００１７】  この様な膨大な量のバイオマスを上手に使えば日本は、貧エネルギー資源国ではなく、エネルギー資源大国になれるはずです。又このバイオマスエネルギーが活躍することで、ＣＯ２削減問題対策などにも大きく貢献できるのです。【００１８】  この膨大なバイオマスは、深刻な社会問題となっている耕作放棄農地や過疎地の森林に存在するものが大部分なので、この様な分野を始とする環境整備に大きく貢献するものです。
【発明を実施するための形態】
【００１９】  このバイオマス燃料の原料となるバイオマスは、道路、公園、里山、河川堤防、山林原野、耕作放棄農地等に自生繁茂する全ての植物及び農地等で栽培される作物等植物又は植物に由来する物であれば全て利用が可能である。
【００２０】  然し、これ等のバイオマスの中にはすでにバイオマス燃料の原料として活用されている物が多数有る。この様な現状を踏まえ、既成のバイオマス燃料生産に使うことの出来ないバイオマスの活用を計るのが本発明の目的とするものである。
【００２１】  この発明で扱うバイオマスは雑草、樹木の枝葉、間伐材、剪定枝用、潅木類、竹、篠、笹、蔦、等未利用の植物であって植生している場所や種類等に関係なく無差別一律に採集する。
【００２２】  採集されたバイオマスは加工のための、第一工程として選別することなく任意の寸法に裁断する。裁断の手段に付いては特に拘る必要はないが、裁断の寸法はバイオマスの条件、加工設備の条件、生産されたバイオマス燃料の使用目的、等の条件によって適宜選択する必要がある。
【００２３】  例えば、樹木の選定枝葉や雑草の混合状態のバイオマスを比較的小規模な加工設備で加工する場合には３ｃｍ程度に裁断するのが適当である。又、間伐材の様な比較的大きなバイオマスを、比較的大きな加工設備で加工し、大型の設備で使用する場合には５ｃｍ〜１０ｃｍと言う寸法でも差し支えはない。
【００２４】  この様に裁断されたバイオマスはかなりの嵩張りがあるが、嵩張りの原因は樹木の枝葉の細枝葉や草の葉等で、中太枝や草の茎等は問題が無くペレット状になっていると言っても差し支えが無いものである。説明すればこの様になるが、集めたバイオマスを単純に裁断するだけのことである。
【００２５】  裁断されたバイオマスは次の工程で乾燥炭化処理の加工を行うのであるが、この加工は焙煎機による焙煎である。バイオマスは焙煎によって乾燥するが、乾燥の早い細枝葉や草の葉は乾燥が早く、過度の乾燥をすると焦げて炭化してしまう。
【００２６】  本発明の目的とするところは。この嵩張りの原因となっている細枝葉や草の葉等、早く乾燥する物だけを焦がすことで炭化し粉砕しやすくすることにある。
【００２７】  焙煎により細枝葉や草の葉等一部が炭化したバイオマスは、表面が炭化したものや焦げて変色した程度の、大中様々な大きさのペレットの混合した嵩張りのある、粗バイオマス燃料になる。
【００２８】  次の工程でこの粗バイオマス燃料を粉砕機にかけることで炭化した部分のみが粉化する。この様なものを粉砕する一般的な手段は、粉砕する目的のものを分別しなければならないが、本発明では分別せずにスクリュー搬送機で搬送しながら粉砕する。
【００２９】  ここでは、この粉砕の技術に関する説明は別のものとする。
【００３０】  この様な単純な工程を得てバイオマス燃料が完成するが完成したバイオマス燃料の形状は、表面が変色したり焦げた程度の大中様々な大きさのペレットと半炭化した細枝や草の茎、粉炭が混合した、焚火の燃え残りゴミの様な物である。
【００３１】  この様にしてできた粉粒混合の燃料が目的のバイオマス燃料で、この状態のバイオマス燃料の中のペレット状の物の中にはかなりの水分が残っているが、この水分の量は燃料全体にすれば極一部に過ぎない物なので、時間の経過と共に全体に分散してしまうので、品質や燃焼に影響を及ぼすものではない。
【００３２】  このバイオマス燃料の特徴は、原料のバイオマスの２０〜３０％が炭化し残りは半炭化又は表面が焦げたり変色した程度の物の混合状態であって、バイオマスの条件、つまり雑草等と樹木の枝葉、潅木などの割合によって炭化物の割合は大きく異なる。
【００３３】  従って、このバイオマス燃料は一見して、半焼けのゴミのような状態であるが、燃料としての性状は着火温度が低く、燃焼速度も速いが、燃焼温度は薪に近く良質な燃料である。
【００３４】  然し、全体としての傾向は、炭化の程度と割合が低いほど良く燃えて火力も強いが粉砕の負担が大きく嵩張りの解消が困難であり、炭化の程度が進み過ぎると粉砕は容易になるが粉炭の割合が多くなり燃え難くなる。実際の燃焼に当っては燃焼室の温度が高くなればさほど問題視するものではない。
【００３５】  このバイオマス燃料も使用目的によって炭化の程度を変えることや炭化部の粉砕を省略することも自由である、例えばバイオマスの炭化の程度を高くし粉砕して木質チップや石炭の助燃剤として使うと燃焼効率が向上する。又、使用目的によって粉砕の必要が無い場合には炭化の程度に拘らない方がよく燃える。
【００３６】  又これ等のバイオマスの種類によっては、ここで説明しているバイオマス燃料生産の技術としての利用ではなく、バイオマス炭等の生産としても効果的な技術である。例えばゴルフ場等での芝草や落ち葉などの様なバイオマスの場合は簡単に多目的利用が可能な粉炭や細粒炭の生産ができる技術である。
【００３７】  この様に、このバイオマス燃料は既存のバイオマス燃料と比較されると全くバイオマス燃料らしからぬものであるが、製造技術を含めて日本古来の伝統産業技術を掘り起こして応用するものであって、複雑な現代科学工業技術の盲点を突く単純明快な技術である。
【００３８】  以上説明の様に、このバイオマス燃料製造技術は、日本中に溢れている未開発のバイオマスを資源として活用する、究極の低コストバイオマス燃料生産技術であるが、現代科学工業技術の観点から評価すると、極めて非科学的な技術と言うものである。
【００３９】  然し、視点を変えれば先端技術では解決できない課題を、確実に解決する技術であることは間違いない事実なのである。従って、本発明の技術は新しい分野での先端技術と言っても差し支えない技術なのである。
【産業上の利用可能性】
【００４０】  欧米のバイオマス先進国では、この形態のバイオマス燃料の利用技術（直接燃焼）が発達しエネルギー産業として活躍している。日本にも、この技術に習った、日本型の新しいバイオマス燃料の利用技術が開発され、新しい分野の産業が開発される。【００４１】  扱われるバイオマスの大部分が存在する場所が、森林及び耕作放棄農地なので、農林業の一部門の産業となる。
【手続補正２】
【補正対象書類名】特許請求の範囲
【補正対象項目名】全文
【補正方法】変更
【補正の内容】
【特許請求の範囲】
【請求項１】
雑草や樹木、潅木の枝打ち枝葉、及び竹、篠、笹、蔦、等全ての植物をバイオマスとしこのバイオマスを焙煎乾燥した後、嵩張りの原因である一部を粉砕し、嵩張りを解消して得る、粉粒混合状態のバイオマス燃料。
【請求項２】
請求項  １  のバイオマスの嵩張りの原因となる部分が炭化するまで焙煎し、炭化した部分を粉砕して、嵩張りを解消して得る、粉粒混合状態のバイオマス燃料。
【請求項３】
請求項  １  のバイオマスを焙煎炭化して得るバイオマス炭。
【請求項４】
請求項  ３  のバイオマス炭を粉砕して得る粉炭及び粒炭及び粉粒混合炭。